(57)【特許請求の範囲】
【請求項１】
ベルトコンベア本体からの落下物を受け止めて堆積させるベルトコンベアギャラリであって、ベルトコンベア本体が設置される多孔構造金属体製の基礎板と、基礎板の幅方向両端部からそれぞれ斜め下方に伸びて、それらの下端部同士が連結している鉄板製の側板とによって構成されて、横断面が逆三角構造になっているとともに、前記側板同士の間に多孔構造金属体製の歩行通路を備えていることを特徴とするベルトコンベアギャラリ。
【請求項２】
請求項１に記載のベルトコンベアギャラリの清掃方法であって、前記ベルトコンベアギャラリ内に堆積させた落下物に向かって、前記多孔構造金属体製の歩行通路上から高圧水を噴射して、前記落下物を前記ベルトコンベアギャラリの長手方向に押し流し、前記ベルトコンベアギャラリの長手方向の所定個所に設けられている落下物排出孔から排出することを特徴とするベルトコンベアギャラリの清掃方法。
【発明の詳細な説明】
【技術分野】
【０００１】
本発明は、ベルトコンベアギャラリおよびその清掃方法に関するものである。
【背景技術】
【０００２】
各種鉱石等を搬送するベルトコンベアは、ベルトコンベア本体とそれを保持するギャラリ（ベルトコンベアギャラリ）を備えている（例えば、特許文献１、２参照）。
【０００３】
そのようなベルトコンベアが道路の上方を横切る場合等には、ベルトコンベア本体からの落下物（落鉱）をギャラリで受け止めることによって、落下物が道路上の車や人に当たる事故を防止するようにしている。
【０００４】
図２は、従来の上記のようなベルトコンベアにおけるギャラリの構造を示す横断面図である。
【０００５】
図２に示すように、従来のギャラリ９０は、ベルトコンベア本体１の下方に設置されていて、ベルトコンベア本体１が設置される多孔構造金属体（エキスパンドメタル、グレーチング等）製の基礎板９１と、基礎板９１の幅方向両端部からそれぞれ斜め下方に伸びる鉄板製の側板９２、９２と、それら側板９２、９２の下端部間を結ぶ鉄板製の底板９３とで構成され、横断面が逆台形構造になっている。なお、基礎板９１と底板９３の間には補強用のフレーム部材９４が設置されている。
【０００６】
これによって、ベルトコンベア本体１からの落下物（落鉱）２は、基礎板９１を通過した後、側板９２上面や底板９３上面で受け止められて、ギャラリ９０内（底板９３上面）に堆積するので、落下物２が道路上の車や人に当たる事故が防止される。
【０００７】
そして、ギャラリ９０内（底板９３上面）に堆積した落下物２は、所定の期間が経つと、作業員によって、ギャラリ９０の長手方向の所定個所（下方に道路等が通っていない個所）に設けられている落下物排出孔（図示せず）からギャラリ９０外に排出・清掃される。
【先行技術文献】
【特許文献】
【０００８】
【特許文献１】実開平７−３１７３４号公報
【特許文献２】特開平８−１７５６３９号公報
【発明の概要】
【発明が解決しようとする課題】
【０００９】
しかしながら、図２に示したような、従来のギャラリ（逆台形構造）９０の場合、底板９３上面全体が落下物２の清掃範囲になるため、清掃に時間を費やすという課題があった。
【００１０】
しかも、本来は歩行個所ではない底板９３上面を作業員が清掃作業を行いながら歩くため、平滑な底板９３上面や底板９３上面の落下物２によって作業員の足元が滑るという危険性があった。
【００１１】
本発明は、上記のような事情に鑑みてなされたものであり、ベルトコンベア本体からの落下物を受け止めて堆積させるベルトコンベアギャラリにおいて、堆積させた落下物を効率よく安全に清掃することを可能にするベルトコンベアギャラリおよびその清掃方法を提供することを目的とするものである。
【課題を解決するための手段】
【００１２】
上記課題を解決するために、本発明は以下の特徴を有している。
【００１３】
［１］ベルトコンベア本体からの落下物を受け止めて堆積させるベルトコンベアギャラリであって、ベルトコンベア本体が設置される多孔構造金属体製の基礎板と、基礎板の幅方向両端部からそれぞれ斜め下方に伸びて、それらの下端部同士が連結している鉄板製の側板とによって構成されて、横断面が逆三角構造になっているとともに、前記側板同士の間に多孔構造金属体製の歩行通路を備えていることを特徴とするベルトコンベアギャラリ。
【００１４】
［２］前記［１］に記載のベルトコンベアギャラリの清掃方法であって、前記ベルトコンベアギャラリ内に堆積させた落下物に向かって、前記多孔構造金属体製の歩行通路上から高圧水を噴射して、前記落下物を前記ベルトコンベアギャラリの長手方向に押し流し、前記ベルトコンベアギャラリの長手方向の所定個所に設けられている落下物排出孔から排出することを特徴とするベルトコンベアギャラリの清掃方法。
【発明の効果】
【００１５】
本発明では、ベルトコンベア本体からの落下物を受け止めて堆積させるベルトコンベアギャラリにおいて、堆積させた落下物を効率よく安全に清掃することができる。
【図面の簡単な説明】
【００１６】
【図１】本発明の一実施形態に係るベルトコンベアギャラリを示す横断面図である。
【図２】従来のベルトコンベアギャラリを示す横断面図である。
【発明を実施するための形態】
【００１７】
本発明の一実施形態を図面に基づいて説明する。
【００１８】
図１は、本発明の一実施形態に係るベルトコンベアギャラリを示す横断面図である。
【００１９】
本発明の一実施形態に係るベルトコンベアギャラリは、各種鉱石等を搬送するベルトコンベアが道路の上方を横切る場合等に適用されて、ベルトコンベア本体からの落下物（落鉱）を受け止めて堆積させるようになっている。
【００２０】
図１に示すように、本発明の一実施形態に係るベルトコンベアギャラリ１０は、ベルトコンベア本体１の下方に設置されていて、ベルトコンベア本体１が設置される多孔構造金属体（エキスパンドメタル、グレーチング等）製の基礎板１１と、基礎板１１の幅方向両端部からそれぞれ斜め下方に伸びて、それらの下端部同士が連結している鉄板製の側板１２、１２とによって構成されて、横断面が逆三角構造になっているとともに、側板１２、１２同士の間を結ぶようにして設置された多孔構造金属体（エキスパンドメタル、グレーチング等）製の歩行通路１５を備えている。なお、基礎板１１と側板１２の間には補強用のフレーム部材１４が設置されている。
【００２１】
これによって、ベルトコンベア本体１からの落下物（落鉱）２は、基礎板１１を通過した後、側板１２の上面で受け止められて、ギャラリ１０内（側板１２上面）に堆積するので、落下物２が道路上の車や人に当たる事故が防止される。
【００２２】
そして、ギャラリ１０内（側板１２上面）に堆積した落下物２は、所定の期間が経つと、作業員が、その堆積させた落下物に向かって、多孔構造金属体製の歩行通路１５上から高圧水を噴射して、落下物２をギャラリ１０の長手方向に押し流し、ギャラリ１０の長手方向の所定個所（下方に道路等が通っていない個所）に設けられている落下物排出孔（図示せず）から排出するようになっている。
【００２３】
なお、歩行通路１５の幅は、作業性や安全性の点から６００ｍｍ以上が好ましく、８００ｍｍ以上が更に好ましい。
【００２４】
これによって、この実施形態においては、ギャラリ１０を逆三角形構造としているので、ベルトコンベア本体１からの落下物２が逆三角形の下端部中央に集約されることから、１点集中の清掃となり、従来のギャラリ９０に比べて、清掃が効率的に行えて、時間短縮につながる。
【００２５】
また、多孔構造金属体製の歩行通路１５を設置しているので、作業員が歩行する際に滑り止め効果を有することから、従来のギャラリ９０のような、平滑な底板９３上を歩行することによって足元を滑らせる危険性もなく、安全に清掃を行うことができる。
【符号の説明】
【００２６】
１  ベルトコンベア本体
２  落下物（落鉱）
１０  ベルトコンベアギャラリ
１１  基礎板
１２  側板
１４  フレーム部材
１５  歩行通路
９０  ベルトコンベアギャラリ
９１  基礎板
９２  側板
９３  底板
９４  フレーム部材
【図１】
0006048456.tif 000002
【図２】
0006048456.tif 000003